(57)【要約】【課題】  本発明は、遊技場に設置される遊技機を新しい機種に入れ替える場合であっても、遊技機、及び不正監視装置にはハード的な変更を加える必要が無く、ソフトウェアの変更のみで対処することができ、また不正行為に対して集中監視することができるようにする。【解決手段】  遊技場には遊技機２、不正監視装置１、１次総合監視装置８が設置され、ネットワークを介して２次総合監視装置３０３、システム管理装置３０５が接続される。不正監視装置１は遊技機２とは感知センサ３により電気的に非接触な状態で結合され、不正監視装置１にシステム管理装置３０５から遊技機２の正常動作パターンを転送して記憶させ、不正監視装置１は感知センサ３からの入力信号による動作パターンと予め記憶された正常動作パターンを比較して遊技機２の異常状態を判定し、遊技機２に対する外部からの不正行為を監視する。【選択図】図１
2005278956.tif 000002
【特許請求の範囲】
【請求項１】
遊技場に設置された遊技機に対する外部からの不正行為を監視する不正監視装置において、
前記遊技機とは電気的に非接触な状態で前記遊技機の動作を検出する複数の感知センサと、
予め前記遊技機の動作の正常動作パターンが記憶されたメモリと、
前記複数の感知センサから入力される前記遊技機の動作信号の一連の動作パターンを前記正常動作パターンと比較し前記複数の感知センサからの前記動作パターンが異常か否かを判定するマイクロプロセッサと、
前記マイクロプロセッサで異常と判定された際の異常状態を表示する表示装置と、
前記異常状態の情報を外部に転送する通信ポートを備えたことを特徴とする不正監視装置。
【請求項２】
前記感知センサは、前記遊技機の電線や部品に加工を加えることなく前記遊技機の動作を検出するクランプ型センサ、リレー、フォトカップラ、近接スイッチのいずれかであることを特徴とする請求項１記載の不正監視装置。
【請求項３】
前記感知センサは、前記遊技機の動作に伴う動作電流、動作時の部品からの漏れ磁束、動作姿勢の変化、動作時の振動、動作時の光、動作時の電波、動作時の温度のいずれかにより前記遊技機の動作を検出するセンサであることを特徴とする請求項１記載の不正監視装置。
【請求項４】
前記通信ポートは、前記遊技場内の１次総合監視装置に接続されたことを特徴とする請求項１記載の不正監視装置。
【請求項５】
前記感知センサで検出される動作は、レバー信号、モータ信号、払出し信号、役者信号、メダル出し信号、ドアスイッチ信号、キースイッチ信号、電源オンオフ確認信号のいずれかに基づいて検出されることを特徴とする請求項１記載の不正監視装置。
【請求項６】
前記通信ポートは、ネットワークを介して２次総合監視装置に接続されたことを特徴とする請求項１記載の不正監視装置。
【請求項７】
前記通信ポートは、ネットワークを介してソフトウェアのメンテナンス及び精密な不正行為の真偽判定を行なうシステム管理装置に接続されたことを特徴とする請求項１記載の不正監視装置。
【請求項８】
前記メモリに予め記憶された前記正常動作パターンは、前記ネットワークを介して前記システム管理装置から前記メモリへインストールしたものであることを特徴とする請求項７に記載の不正監視装置。
【請求項９】
遊技場に設置される遊技機と、前記遊技場に設置された不正監視装置と、前記遊技場に設置された１次総合監視装置と、セキュリティ会社に備わる２次総合監視装置と、ソフトウェアのメンテナンス及び精密な不正行為の真偽判定を行なうシステム管理会社に備わるシステム管理装置とを備え、前記遊技機に対する外部からの不正行為を監視する不正監視システムにおいて、
前記不正監視装置は前記遊技機の動作信号を検出する複数の感知センサにより前記遊技機とは電気的に非接触な状態で設置され、
前記１次総合監視装置は前記不正監視装置に接続され、
前記２次総合監視装置はネットワークを介して前記不正監視装置に接続され、
前記システム管理装置はネットワークを介して前記不正監視装置及び前記２次総合監視装置に接続されており、
前記不正監視装置に前記システム管理装置からネットワークを介して前記遊技機の正常動作パターンを転送して記憶させ、
前記不正監視装置は前記複数の感知センサから入力される動作信号の一連の動作パターンと前記正常動作パターンを比較して前記遊技機の異常状態を判定することを特徴とする不正監視システム。
【請求項１０】
前記システム管理装置には前記不正監視装置での判定よりも更に精密に不正行為の真偽の判定をすることのできる精密判定用ソフトが記憶され、
前記システム管理装置は前記不正監視装置からの異常状態の情報を前記精密判定用ソフトに基づき不正行為の真偽を判定し該判定結果を前記２次総合監視装置に転送する手段を備えたことを特徴とする請求項９に記載の不正監視システム。
【請求項１１】
遊技場に設置される遊技機と、前記遊技場に設置された不正監視装置と、前記遊技場に設置された１次総合監視装置と、ネットワークを介して前記不正監視装置に接続されたセキュリティ会社内の２次総合監視装置と、ネットワークを介して前記不正監視装置に接続されたシステム管理会社内のシステム管理装置とを備え、前記遊技機に対する外部からの不正行為を監視する不正監視方法において、
前記遊技機の動作信号を検出する複数の感知センサにより前記遊技機とは電気的に非接触な状態で設置された前記不正監視装置が、前記複数の感知センサにより前記遊技機の動作パターンを検出する工程と、
該検出された動作パターンと予め前記不正監視装置に記憶された正常動作パターンを比較して異常状態を判定する工程とを備えたことを特徴とする不正監視方法。
【請求項１２】
前記システム管理装置から前記不正監視装置に前記正常動作パターンを転送して予め記憶させる工程を備えたことを特徴とする請求項１１に記載の不正監視方法。
【請求項１３】
前記不正監視装置から前記２次総合監視装置へネットワークを介して前記不正監視装置で判定された異常状態を転送する工程を備えたことを特徴とする請求項１１に記載の不正監視方法。
【請求項１４】
前記不正監視装置から前記システム管理装置へネットワークを介して前記不正監視装置で判定された異常状態を転送する工程と、
前記システム管理装置には前記不正監視装置での判定よりも更に精密に不正行為の真偽の判定をすることのできる精密判定用ソフトを有し、該精密判定用ソフトにより不正行為の真偽を判定する工程と、
該判定結果を前記システム管理装置から前記２次総合監視装置に転送する工程を備えたことを特徴とする請求項１３に記載の不正監視方法。
【発明の詳細な説明】
【技術分野】
【０００１】
本発明は、遊技場に設置されるパチンコ機、スロット機、パチスロ機等の遊技機の不正監視に係り、特に遊技機に対する外部からの不正行為による玉、メダルなどの不正入手、即ち不正を監視することができる不正監視装置、不正監視システム、及び不正監視方法に関する。
【背景技術】
【０００２】
従来、遊技場に設置されるパチンコ機、スロット機、パチスロ機等の遊技機の不正を監視するものとして、特開２０００−０３３１６７号公報に記載された遊技設備の不正検知装置がある。
この従来技術は、遊技機内の予め定められた特定領域に移入した遊技用媒体を検出する遊技用媒体検出センサを設けてある遊技機に、前記遊技用媒体を検出する遊技用媒体検出センサと同一又はほぼ同一性能の監視センサを設け、この遊技用媒体検出センサの検出信号を不正検知信号として出力する出力手段を設けたものである。これにより、電磁波や磁気等による不正操作によって遊技機の遊技用媒体検出センサが誤作動すると、該遊技用媒体検出センサと同一又はほぼ同一性能の監視センサも作動することになり、この監視センサの検出信号を不正検知信号として出力する出力手段によって、不正操作が行われたことを検知することができ、遊技機に対する外部からの不正行為による玉、メダルの不正入手、即ち不正を防止するというものである。
【０００３】
【特許文献１】特開２０００−０３３１６７号公報
【発明の開示】
【発明が解決しようとする課題】
【０００４】
遊技場に設置されているパチンコ機、スロット機、パチスロ機等においては、不正の特定が非常に困難であると言う問題がある。その理由は、発生の予測が不可能であり、カメラ等による監視には限界があること、また遊技機自体が半導体素子を用いた電子装置であり、電波等の外乱による誤動作と故意に発射された不法電波により引起された誤動作との識別判断が困難であること、不正防止装置も電子装置であることから、検出手段によっては遊技機への悪影響を与える可能性も懸念されること、更にこれまでの不正監視装置では、不正の表示、警報出力、１次総合監視装置ホールコンピューターへの情報伝達に留まり、不正行為が発覚しても速やかな不正行為の阻止と言う点では充分な対応が出来ないと言う問題があった。
【０００５】
上記特許文献１として挙げた従来技術は、不正操作を検出するセンサを遊技用媒体検出センサとほぼ同じセンサとして遊技機に装着し、このセンサを用いて異常検出をしている。したがって、この従来技術では、遊技機自体に本来遊技に必要ない部品を組み込むことになり、価格アップの要因になったり、遊技機に余分なスペースを要求することになる。また遊技機を新しい機種に入れ替える場合であっても、その度にこのセンサのための余計な設計をする必要があり、機種変更に対する柔軟性に乏しかった。
【０００６】
また、遊技機は、公正な管理の下に設置されているものであるが、不正な手段での玉、メダルを入手する不正行為の発見は、非常に難しいのが現状である。一方、上記従来技術のように遊技機自体に不正行為防止機能を装備すること、即ち遊技機の状態そのものを監視することは、公平なゲームが成立しないばかりか、遊興者との信頼関係をも阻害する要因となるため、現実的な解決手段には成り得ないと言う問題がある。
【０００７】
このような状況の下、遊技機と完全に分離した状態で、遊技機に影響を与えない方法を用いた監視装置による不正監視が行なえれば上記の問題は回避され、更にこの装置に通信機能を持たせ、１次総合監視装置（ホール内に設置されたコンピューター）への情報転送、複数の店舗(ホール)と通信回線で繋がっているセキュリティ会社への情報転送をすることにより短時間での不正事実の確認を可能とし、また当該システムを管理する日々変化する不正手法に対応するソフトウェアのメンテナンスをネットワークを介して行なうことによる、経済的／効率的な不正監視システムを得ることができる。
【０００８】
本発明は上記従来技術の課題を解決すると共に、遊技機を新しい機種に入れ替える場合であっても、遊技機、及び不正監視装置にはハード的な変更を加える必要が無くソフトウェアの変更のみで対処することができ、また不正行為に対して集中監視することができる遊技設備の不正監視装置、不正監視システム、及び不正監視方法を提供することにある。
【課題を解決するための手段】
【０００９】
本発明の請求項１に係る発明の要旨は、遊技場に設置された遊技機に対する外部からの不正行為を監視する不正監視装置において、前記遊技機とは電気的に非接触な状態で前記遊技機の動作を検出する複数の感知センサと、予め前記遊技機の動作の正常動作パターンが記憶されたメモリと、前記複数の感知センサから入力される前記遊技機の動作信号の一連の動作パターンを前記正常動作パターンと比較し前記複数の感知センサからの前記動作パターンが異常か否かを判定するマイクロプロセッサと、前記マイクロプロセッサで異常と判定された際の異常状態を表示する表示装置と、前記異常状態の情報を外部に転送する通信ポートを備えたことを特徴とする不正監視装置に存する。
また、本発明の請求項２に係る発明の要旨は、前記感知センサは、前記遊技機の電線や部品に加工を加えることなく前記遊技機の動作を検出するクランプ型センサ、リレー、フォトカップラ、近接スイッチのいずれかであることを特徴とする請求項１記載の不正監視装置に存する。
また、本発明の請求項３に係る発明の要旨は、前記感知センサは、前記遊技機の動作に伴う動作電流、動作時の部品からの漏れ磁束、動作姿勢の変化、動作時の振動、動作時の光、動作時の電波、動作時の温度のいずれかにより前記遊技機の動作を検出するセンサであることを特徴とする請求項１記載の不正監視装置に存する。
また、本発明の請求項４に係る発明の要旨は、前記通信ポートは、前記遊技場内の１次総合監視装置に接続されたことを特徴とする請求項１記載の不正監視装置に存する。
また、本発明の請求項５に係る発明の要旨は、前記感知センサで検出される動作は、レバー信号、モータ信号、払出し信号、役者信号、メダル出し信号、ドアスイッチ信号、キースイッチ信号、電源オンオフ確認信号のいずれかに基づいて検出されることを特徴とする請求項１記載の不正監視装置に存する。
また、本発明の請求項６に係る発明の要旨は、前記通信ポートは、ネットワークを介して２次総合監視装置に接続されたことを特徴とする請求項１記載の不正監視装置に存する。
また、本発明の請求項７に係る発明の要旨は、前記通信ポートは、ネットワークを介してソフトウェアのメンテナンス及び精密な不正行為の真偽判定を行なうシステム管理装置に接続されたことを特徴とする請求項１記載の不正監視装置に存する。
また、本発明の請求項８に係る発明の要旨は、前記メモリに予め記憶された前記正常動作パターンは、前記ネットワークを介して前記システム管理装置から前記メモリへインストールしたものであることを特徴とする請求項７に記載の不正監視装置に存する。
また、本発明の請求項９に係る発明の要旨は、遊技場に設置される遊技機と、前記遊技場に設置された不正監視装置と、前記遊技場に設置された１次総合監視装置と、セキュリティ会社に備わる２次総合監視装置と、ソフトウェアのメンテナンス及び精密な不正行為の真偽判定を行なうシステム管理会社に備わるシステム管理装置とを備え、前記遊技機に対する外部からの不正行為を監視する不正監視システムにおいて、前記不正監視装置は前記遊技機の動作信号を検出する複数の感知センサにより前記遊技機とは電気的に非接触な状態で設置され、前記１次総合監視装置は前記不正監視装置に接続され、前記２次総合監視装置はネットワークを介して前記不正監視装置に接続され、前記システム管理装置はネットワークを介して前記不正監視装置及び前記２次総合監視装置に接続されており、前記不正監視装置に前記システム管理装置からネットワークを介して前記遊技機の正常動作パターンを転送して記憶させ、前記不正監視装置は前記複数の感知センサから入力される動作信号の一連の動作パターンと前記正常動作パターンを比較して前記遊技機の異常状態を判定することを特徴とする不正監視システムに存する。
また、本発明の請求項１０に係る発明の要旨は、前記システム管理装置には前記不正監視装置での判定よりも更に精密に不正行為の真偽の判定をすることのできる精密判定用ソフトが記憶され、前記システム管理装置は前記不正監視装置からの異常状態の情報を前記精密判定用ソフトに基づき不正行為の真偽を判定し該判定結果を前記２次総合監視装置に転送する手段を備えたことを特徴とする請求項９に記載の不正監視システムに存する。
また、本発明の請求項１１に係る発明の要旨は、遊技場に設置される遊技機と、前記遊技場に設置された不正監視装置と、前記遊技場に設置された１次総合監視装置と、ネットワークを介して前記不正監視装置に接続されたセキュリティ会社内の２次総合監視装置と、ネットワークを介して前記不正監視装置に接続されたシステム管理会社内のシステム管理装置とを備え、前記遊技機に対する外部からの不正行為を監視する不正監視方法において、前記遊技機の動作信号を検出する複数の感知センサにより前記遊技機とは電気的に非接触な状態で設置された前記不正監視装置が、前記複数の感知センサにより前記遊技機の動作パターンを検出する工程と、該検出された動作パターンと予め前記不正監視装置に記憶された正常動作パターンを比較して異常状態を判定する工程とを備えたことを特徴とする不正監視方法に存する。
また、本発明の請求項１２に係る発明の要旨は、前記システム管理装置から前記不正監視装置に前記正常動作パターンを転送して予め記憶させる工程を備えたことを特徴とする請求項１１に記載の不正監視方法に存する。
また、本発明の請求項１３に係る発明の要旨は、前記不正監視装置から前記２次総合監視装置へネットワークを介して前記不正監視装置で判定された異常状態を転送する工程を備えたことを特徴とする請求項１１に記載の不正監視方法に存する。
また、本発明の請求項１４に係る発明の要旨は、前記不正監視装置から前記システム管理装置へネットワークを介して前記不正監視装置で判定された異常状態を転送する工程と、前記システム管理装置には前記不正監視装置での判定よりも更に精密に不正行為の真偽の判定をすることのできる精密判定用ソフトを有し、該精密判定用ソフトにより不正行為の真偽を判定する工程と、該判定結果を前記システム管理装置から前記２次総合監視装置に転送する工程を備えたことを特徴とする請求項１３に記載の不正監視方法に存する。
【発明の効果】
【００１０】
本発明によれば、不正監視装置を遊技機自体へ影響を与えない電気的に非接触な状態で設置することができ、遊興者の信頼を向上できると共に、遊技機の新機種入れ替えの際、遊技機から不正監視装置を容易に取り外すことができ、また、容易に取り付けることができる。
【００１１】
また本発明によれば、遊技機の新設や新機種入れ替えの際、ソフトウェアのメンテナンスを行なうシステム管理会社に備わるシステム管理装置から、不正行為を総合的に分析・判断する不正検知ソフトウェア（不正行為を判定する基準となる遊技機の正常動作パターンを含む）をインストールすることができ、遊技機の新設、新機種入れ替えに対し柔軟に対応でき、また不正行為の判定に容易に対応することができる。
【００１２】
また本発明によれば、不正監視装置で異常と判定された異常状態の情報をネットワークを介してセキュリティ会社内の２次総合監視装置に転送することができ、セキュリティ会社は不正行為に対し迅速に対応することができる。
【００１３】
また本発明によれば、システム管理装置は前記不正監視装置での判定よりも更に精密に不正行為の真偽の判定をすることのできる精密判定用ソフトを有しているので、不正監視装置では不正行為の判定が難しい場合、該精密判定用ソフトにより不正行為の真偽を判定することができ、セキュリティ会社は不正行為に対し、より正確に対応することができる。
【発明を実施するための最良の形態】
【００１４】
本発明は、遊技場に設置されるパチンコ機、スロット機、パチスロ機等の遊技機に対する外部からの不正行為による玉、メダルなどの不正入手、即ち不正防止を目的とした不正監視装置、不正監視システム、及び不正監視方法に関するもので、遊技機との結合が電気的に非接触な状態で設置されるところに特徴を有している。ここで結合が電気的に非接触な状態とは、遊技機に何ら加工を加えずに取り付け取り外しが容易に行える結合状態を意味する。すなわち、遊技機との結合を電気的に非接触な状態とするため、不正監視装置が遊技機からの不正行為があったことを検出するための感知センサを遊技機に対し加工を加えないで取り付けるようにしており、また、感知センサの取り外し／取り付けが容易に行えるようにしている。
【００１５】
そして、遊技機の新機種入れ替えなどの変更があった場合、遊技機に何ら変更を加えることなく感知センサの取り付け変更を行い、また、不正行為を判定する基準となる遊技機の正常動作パターンを含む不正行為を総合的に分析・判断する不正検知ソフトウェアを不正監視装置にインストールすることで対処できるようにしている。
したがって、遊技機の新機種入れ替えなどの変更の際、遊技機には何ら加工を加えないで、感知センサの簡単な付け替えとソフトウェアの変更のみで対処することができる。
【００１６】
また、不正を監視する手段として、不正監視装置に備わる不正行為による異常状態を表示する表示装置、遊技場ホール内監視装置で遠隔から監視する１次総合監視装置、ネットワークを介して接続されたセキュリティ会社内の２次総合監視装置、及びネットワークを介して接続された当該システム運用管理会社のシステム管理装置を備えている。
【００１７】
システム管理会社は、遊技機に対する不正行為防止に対するノウハウを蓄積しており、２次総合監視装置からシステム管理装置に転送された異常情報を、このノウハウの蓄積による精密な判定用ソフトによって不正行為の真偽の判定を行い、判定結果を２次総合監視装置へ転送することができるようになっている。
また、これにより不正監視装置の負荷を低減することができる。
【００１８】
また、システム管理会社は、遊技機の新設、新機種の入れ替え時などに、ネットワークを介して、遊技機に対する不正行為を総合的に分析・判断する不正検知ソフトウェアをシステム管理装置から各遊技場に設置された不正監視装置に転送しインストールするなどのメンテナンスを行う。
【００１９】
また、２次総合監視装置を運用するセキュリティ会社は、ネットワークを介して各遊技場に設置された不正監視装置から転送された情報に基づき、不正行為の停止、複数の店舗に不正情報の開示を行う。不正監視装置からの異常情報は単なる装置の誤動作もあり、必ずしも不正行為による異常とは限らないが、本発明では、セキュリティ会社が運用する不正監視装置の他にシステムのメンテナンスを目的としたシステム管理装置を設けているので、不正行為によるものか否かの判定が難しい場合には、システム管理会社のシステム管理装置による判定結果をみて、不正行為であると分かった場合には現場に急行することができるようにしている。
【００２０】
以下、本発明による不正監視装置、及び不正監視システムを具体的に説明していく。
図１は、本発明の実施の形態を示した図である。
図１に示すように、本発明の遊技設備の不正監視システムは、不正監視装置１、パチンコ機やスロット機、パチスロ機などの遊技機２、遊技機２の各部の動作を検出する複数の感知センサ３からなるセンサ群、不正監視装置１を制御する１次総合監視装置８を遊技場内に備えている。
【００２１】
更に不正監視装置１はネットワーク３０７を介してシステムのメンテナンスを目的とした総合監視装置であるシステム管理装置３０５と、セキュリティ会社の２次総合監視装置３０３に接続されている。また、１０１は不正監視装置、１０２は遊技機、１０３は感知センサ、１０８は１次総合監視装置であり、上記不正監視装置１、遊技機２、感知センサ３、１次総合監視装置８と同様の設備を示している。このように遊技場内には不正監視装置１、遊技機２、感知センサ３、１次総合監視装置８で構成される設備と同様の設備が複数備わっている。以下の説明では不正監視装置１、遊技機２、感知センサ３、１次総合監視装置８で説明するが、他も同様である。
【００２２】
上記不正監視装置１はマイクロプロセッサ５、メモリ１１、感知センサ３から入力される信号を受信するセンサ信号処理回路４、異常状態を表示する状態表示器６を備えており、更に不正監視装置１は、情報ライン１０を介して１次総合監視装置８に接続され、また、情報ライン９を介してネットワーク３０７に接続される通信ポート７を備えている。１次総合監視装置８はネットワーク３０７を介して接続してもよい。
【００２３】
また、２次総合監視装置３０３は情報ライン３０１を介してネットワーク３０７に接続され、内部に監視用ＰＣ（Personal Computer）３０４を備えている。また、システム管理装置３０５は情報ライン３０２を介してネットワーク３０７に接続され、内部にメンテナンス対応用ＰＣ３０６を備えている。したがって、不正監視装置１はネットワーク３０７を介して２次総合監視装置３０３、及びシステム管理装置３０５との間で情報通信することができる。
【００２４】
遊技機２に対する不正行為は、不正監視装置１に備わる状態表示器６、遊技場のホールに備わる１次総合監視装置８、セキュリティ会社の２次総合監視装置３０３、システムのメンテナンスを目的としたシステム管理装置３０５のそれぞれにおいて監視することができる。
【００２５】
ここで、不正監視装置１のメモリ１１には、システム管理装置３０５からネットワーク３０７を介して不正行為を総合的に分析・判断する不正検知ソフトウェアが予めインストールされている。この不正検知ソフトウェアは、遊技機２の正常動作パターンを含んでおり、この正常動作パターンは遊技機２の変更に伴い更新される。遊技機２の変更によるソフトウェアの更新として正常動作パターン以外に不正検知ソフトウェアに変更がなければ、この正常動作パターンを更新するだけで簡単に遊技機２の機種変更などに対応できる。
【００２６】
また、不正監視装置１は、パチンコ機／パチスロ機などの遊技機２の装置が動作する信号、すなわち装置の動作電流や、動作時の部品からの漏れ磁束を、遊技機の電線や部品に加工を加えることなく検出可能なクランプ型センサ、リレー、フォトカップラ、近接スイッチを介した接点センサ等複数の情報を検出する感知センサ３からなるセンサ群の入力端子を備えている。これらの感知センサ３が検出する信号は、レバー信号、モータ信号、払出し信号、役者信号、メダル出し信号、ドアスイッチ信号、キースイッチ信号、電源オンオフ確認信号等である。
【００２７】
例えばクランプ型センサとして、クランプ型電流センサを用いて遊技機の動作電流を検出することができる。このクランプ型電流センサは、周知のように電線に加工を施すことなく電線に流れる電流を検出することができる。また、フォトカップラを使えば遊技機の機械的な状態変化を非接触状態で検出することもできる。このように上記クランプ型センサ、リレー、フォトカップラ、近接スイッチを介した接点センサ等を用いて遊技機との結合が電気的に非接触な状態で不正監視装置１を設置することができる。
【００２８】
なお、上記感知センサ３は、遊技機の動作電流や、動作時の部品からの漏れ磁束、動作姿勢の変化、振動、光、電波、温度など、遊技機の動作に伴う変化を、遊技機２自体に加工を加えることなく遊技機の動作として検出可能なセンサであれば、上記例に限らず本発明の実施の形態の感知センサ３として使用することができる。
【００２９】
感知センサ３から入力された遊技機２の動作信号は、センサ信号処理回路４にて増幅及び波形整形が行なわれる。すなわち、接点出力はそのまま状態が取り込まれ、それ以外のアナログ信号はＡ／Ｄ変換処理によりデジタル変換される。波形整形処理された信号は、プログラム変更可能なマイクロプロセッサ５に送られる。
【００３０】
マイクロプロセッサ５は入力された各信号すべての組合せ評価を行ない、この組合せ評価の結果、通常の状態ではあり得ない信号の組合せ、すなわちメモリ１１に記憶された正常動作パターンと異なっている動作パターンかどうかを判定する。
【００３１】
例えば、スロット機の場合、
（１）コイン投入
（２）スタートレバーを引く
（３）ドラム回転（３つ）
（４）各ドラム停止ボタンを押す
（５）各ドラム停止
（６）役柄確定
（７）役柄に応じた枚数メダルを払い出す
という組み合わせの流れが正常な流れであり、これ以外の組み合わせによる流れがないものとすれば、もし、通常の状態ではあり得ない信号の組合せとなっている場合、異常状態であると判定できる。具体的には、スタートレバーを押していないのにドラムが回転する、あるいは当たり役ではないのにメダルがチャージされるなどである。
【００３２】
この正常な流れの組み合わせ動作パターンはこれ以外にも多数あり、先に述べたようにこの正常動作パターンは予め不正監視装置１のメモリ１１に登録、記憶されている。なお、この正常動作パターンは、不正監視装置１ではなくシステム管理装置３０５に記憶しておいてもよい。
【００３３】
このような異常状態を検知するため、例えば、
（１）スタートレバー信号に対しては、スタートレバーを押したときに電流が流れる部分、
（２）役柄確定信号に対しては、当たり役が出たときに電流が流れる部分、
（３）払い出し信号に対しては、役柄に応じたコイン枚数を遊技機にチャージする部分、
（４）ドラム回転信号に対しては、ドラムが回転している信号を検出できる部分、
といった部分に感知センサ３を取り付けておく。
【００３４】
そして、これら感知センサ３で検出された信号を含む複数の信号の組み合わせが不正監視装置１に取り込まれ、マイクロプロセッサ５によって上記正常な信号の組み合わせである正常動作パターンと比較され、異常な信号の組み合わせであるか否かが判定される。
【００３５】
このようにして、マイクロプロセッサ５により異常状態であると判定された場合、状態表示器６に異常状態である旨を表示する。これと共に、異常信号を通信ポート７を介して、情報ライン１０にて１次総合監視装置８に伝送し、また、情報ライン９とネットワーク３０７を介して、セキュリティ会社の２次総合監視装置３０３、及びシステムのメンテナンスを目的としたシステム管理装置３０５に伝送する。
【００３６】
２次総合監視装置３０３では、監視用ＰＣ３０４にて全ての不正監視装置１、１０１、・・・の状態をモニタ表示する。
この２次総合監視装置３０３は、情報ライン３０１を介してネットワーク３０７に繋がっているので、複数箇所にある不正監視装置１、１０１、・・・で構成される不正監視装置群の状態を一箇所でモニタすることが可能である。
異常状態が確認された場合には、当該不正監視装置の状態の詳細と識別番号情報がシステム管理装置３０５に転送される。
【００３７】
システム管理装置３０５のメンテナンス対応用ＰＣ３０６では、更に異常状態が不正行為によるものかどうかの真偽の判定を行う目的で、当該不正監視装置１に直接アクセスし、詳細監視ソフトに切換えて確認を行なって、真偽の判定を行い、この結果を２次総合監視装置３０３に転送する。この様な構成とすることにより、２次総合監視装置３０３をモニタするセキュリティ会社は、システムを管理する真偽判定情報に基づいて、当該不正防止装置のあるホールへ急行することができる。
【００３８】
また、本発明による不正監視装置１は、パチンコ機／パチスロ機などの遊技機２の新機種への入れ替えがあった場合にも、不正監視装置１自体のハードウェアを変更する必要はなく、本発明による不正監視装置１はソフトウェアの変更で対応することができる。すなわち、不正監視装置１は、パチンコ機／パチスロ機などの遊技機２の新機種への入れ替えがあった場合、不正監視装置１に備わる複数・複数種の感知センサ３を入れ替え前の遊技機２から取り外し、新機種の該当する部分に取り付けし直せば、ハードウェア的には遊技機２には何ら変更を加えることなく新機種入れ替えに対応できる。この場合、システム管理装置３０５がネットワーク３０７を介して、不正行為を総合的に分析・判断する不正検知ソフトウェアを新機種に対応したものに入れ替えることにより、新機種への入れ替えが簡単に完了する。
【００３９】
この、遊技機２の感知センサ３を容易に取り付け変更できることと、ソフトウェアの入れ替えで対応できることにより、新機種の入れ替えに限らず、例えば、不正者が新たな不正手口を考え出した場合に、この不正を検知することができる感知センサ３の取り付け位置の変更とこれに対応したソフトウェアの入れ替えで容易にこの不正手口に対処できるという効果も奏する。
【００４０】
このように、不正監視装置１は、複数・複数種の感知センサ３を持ち、ソフトウェアによる判定条件の変更が容易に可能であり、パチンコ機／パチスロ機の新機種への入れ替えがあった場合にも、ネットワーク３０７を介したソフト変更が可能であり、一箇所からネットワーク３０７に繋がった全ての不正監視装置１のソフト変更が可能であり、非常に経済的なシステム運用管理が可能となる。また、２次総合監視装置３０３とシステム管理装置３０５が一つの場所おいて運用することが可能であることは言うまでもない。
【００４１】
また、上記実施の形態では正常な流れの正常動作パターンと感知センサ３で検出された信号の動作パターンを比較して判定したが、予め不正な動作パターンが分かっている場合にはこの不正動作パターンを登録、記憶しておけば、この不正動作パターンが検出されることにより、システム管理装置３０５の解析を待つことなく直ちに異常であると判断して、迅速にアラーム情報を２次総合監視装置３０３に送ることができ、より早く当該不正防止装置のあるホールへ急行することができる。
【００４２】
また、不正監視装置１は対象とする遊技機２が、上記ではパチンコ機、スロット機、パチスロ機を例にとって説明したが、感知センサ３が任意に取り付け／取り外しが可能であり、また、ソフトウェアの変更のみで対応が可能であるなどの特徴により、パチンコ機、スロット機、パチスロ機に限らず、様々な遊技機に応用可能であることは明らかである。
【産業上の利用可能性】
【００４３】
本発明は、遊技場に設置されるパチンコ機、スロット機、パチスロ機等の遊技機の不正監視装置、不正監視システム、不正監視方法として利用することができる。
【図面の簡単な説明】
【００４４】
【図１】本発明の実施の形態を示す図である。
【符号の説明】
【００４５】
１、１０１・・・不正監視装置
２、１０２・・・遊技機
３、１０３・・・感知センサ
４、１０４・・・センサ信号処理回路
５、１０５・・・マイクロプロセッサ
６、１０６・・・状態表示器
７、１０７・・・通信ポート
８、１０８・・・１次総合監視装置
９、１０９・・・情報ライン
１０、１１０、３０１、３０２・・・情報ライン
１１、１１１・・・メモリ
３０３・・・２次総合監視装置
３０４・・・監視用ＰＣ
３０５・・・システム管理装置
３０６・・・メンテナンス対応用ＰＣ
３０７・・・ネットワーク
【図１】
2005278956.tif 000003